(57)【要約】【課題】  安定した平衡型クロック信号を出力する簡素な構造の平衡型クロック信号出力回路を提供する。【解決手段】  トランス型バラン１の一次側コイルＬ1 の一方端は不平衡型信号入力部２に接続し、他方端は駆動電圧信号供給端子Ｖccに接続している。トランス型バラン１の２次側コイルＬ2 は、第１コイル部Ｌ21と第２コイル部Ｌ22とが直列接続された構造からなる。この接続点は抵抗Ｒ1 を介して駆動電圧信号供給端子Ｖccに接続するとともに、抵抗Ｒ2 を介して接地に接続している。第１コイル部Ｌ21の接続点に対向する端部は信号出力部ＯＵＴN に接続し、第２コイル部Ｌ22の接続点に対向する端部は信号出力部ＯＵＴR に接続しており、これら信号出力部ＯＵＴN ，ＯＵＴR により平衡型信号出力部３を構成している。【選択図】  図３
2005348054.tif 000002
【特許請求の範囲】
【請求項１】
所定周波数の不平衡型クロック信号を入力して、平衡型クロック信号を出力する平衡型クロック信号出力回路において、
前記不平衡型クロック信号が入力される不平衡側入力部を備える１次側コイルと、該１次側コイルと電磁界結合し、前記不平衡型クロック信号に応じた非反転出力信号を出力する非反転出力部、および、前記不平衡型クロック信号に応じた反転出力信号を出力する反転出力部を備える２次側コイルとからなるトランス型バランを含むことを特徴とする平衡型クロック信号出力回路。
【請求項２】
前記１次側コイルが、前記トランス型バランの前記不平衡側入力部に接続される回路の駆動電源信号伝送回路である請求項１に記載の平衡型クロック信号出力回路。
【請求項３】
前記２次側コイルにベースが接続される第１出力側トランジスタ、および、第２出力側トランジスタと、
前記第１出力側トランジスタのベース、および、前記第２出力側トランジスタのベースに前記トランス型バランを介して接続する駆動用電源とを備えた請求項１または請求項２に記載の平衡型クロック信号出力回路。
【請求項４】
前記２次側コイルの前記反転出力部と前記非反転出力部との間の途中点に接続し、平衡型クロック信号出力回路の出力信号のハイレベル電圧とローレベル電圧との中間電圧の直流信号を前記途中点に供給する直流バイアス供給手段を備えた請求項１または請求項２に記載の平衡型クロック信号出力回路。
【請求項５】
前記トランス型バランは、コア材と、該コア材に平行または撚り線状に巻き付けられた第１、第２、第３の巻線とからなるトリファイラー巻きトランスで構成され、第１の巻線で１次側コイルを形成し、第２の巻線および第３の巻線で２次側コイルを形成する請求項１〜４のいずれかに記載の平衡型クロック信号出力回路。
【請求項６】
前記トランス型バランは、２組の互いに結合するストリップ線路で形成されたストリップ線路型バランである請求項１〜請求項４のいずれかに記載の平衡型クロック信号出力回路。
【請求項７】
前記１次側コイルと前記２次側コイルとの巻数比により、１次側の入力インピーダンスと２次側の出力インピーダンスとを調整する請求項１〜６のいずれかに記載の平衡型クロック信号出力回路。
【請求項８】
請求項１〜７に記載の平衡型クロック信号出力回路と、
所定周波数で発振し、発振信号を前記平衡型クロック信号出力回路の前記不平衡側入力部に入力する発振手段と、を備えたことを特徴とする高周波発振器。
【発明の詳細な説明】
【技術分野】
【０００１】
この発明は、入力された不平衡型クロック信号を平衡型クロック信号に変換して出力する平衡型クロック信号出力回路、特に、ディジタル形式の平衡型クロック信号を出力する平衡型クロック信号出力回路と、これを用いた高周波クロック信号発振器に関するものである。
【背景技術】
【０００２】
現在、ディジタル回路の高周波化にともない、ディジタルの平衡型クロック信号の需要が増加している。このような平衡型クロック信号を出力する回路としては、発振器（または発振回路の発振部）から直接平衡型クロック信号を出力する回路と、発振器（または発振回路の発振部）から出力された不平衡型クロック信号を平衡型に変換して出力する回路とが存在する。
【０００３】
平衡型クロック信号を直接出力する形式の回路としては、特許文献１に示すように、発振器の出力にトランジスタを接続し、このトランジスタのコレクタから出力される信号とエミッタから出力される信号とを用いて平衡型のクロック信号を出力する回路が提案されている。
【０００４】
また、不平衡型クロック信号を平衡型に変換して出力する回路としては、特許文献２に示すように、まず、共振素子と増幅回路とからなる発振回路で不平衡型クロック信号を発生し、ＬＣ位相変換器からなるバラン出力回路で、この不平衡型クロック信号から９０°位相が進む信号と９０°位相が遅れる信号とを生成して、平衡型クロック信号を出力する回路が提案されている。
【特許文献１】特開昭６１−２８５８１３号公報
【特許文献２】特開平１０−１３５７３６号公報
【発明の開示】
【発明が解決しようとする課題】
【０００５】
しかしながら、特許文献１に記載の回路では、回路構成は簡素であるが、トランジスタのエミッタから出力される非反転信号とコレクタから出力される反転信号との振幅のバランスを取ることが難しく、さらには、この２つの信号の位相差を高精度に１８０°とすることが難しい。このため、安定した平衡型クロック信号を出力することが難しい。
【０００６】
また、特許文献２に記載の回路は、２つの互いに対称な構成のＬＣ位相変換器を用いることで、比較的正確に非反転信号と反転信号との位相差を１８０°にすることができるが、これら２つのＬＣ位相変換器を含むバラン出力回路を構成する素子数が多く、回路が複雑となる。
【０００７】
したがって、この発明の目的は、平衡型クロック信号を安定して出力する簡素な構造の平衡型クロック信号出力回路と、これを備えた高周波発振器を提供することにある。
【課題を解決するための手段】
【０００８】
この発明は、所定周波数の不平衡型クロック信号を入力して、平衡型クロック信号を出力する平衡型クロック信号出力回路において、不平衡型クロック信号が入力される不平行側入力部を備える１次側コイルと、この１次側コイルと電磁界結合し、不平衡型クロック信号に応じた非反転出力信号を出力する非反転出力部、および、不平衡型クロック信号に応じた反転出力信号を出力する反転出力部を備える２次側コイルとからなるトランス型バランを含むことを特徴としている。
【０００９】
この構成では、不平衡型クロック信号がトランス型バランの１次側コイルに入力されると、この１次側コイルに電磁界結合する２次側コイルに前記不平衡型クロック信号に応じた信号が誘導される。ここで、２次側コイルの軸方向の中心を対称にした２つの位置（例えば、２次側コイルの両端）から出力される信号は、位相差が１８０°の関係にあるため、一方が非反転出力信号となり、他方が反転出力信号となる。また、これらの振幅は同じとなる。これにより、これら２つの信号で平衡型クロック信号が形成される。
【００１０】
また、この発明の平衡型クロック信号出力回路は、１次側コイルが、トランス型バランの不平衡側入力部に接続される回路の駆動電源信号伝送回路であることを特徴としている。
【００１１】
この構成では、トランス型バランの１次側コイルを介して、駆動電源が不平衡側入力部に接続されている回路（例えば、発振回路）の最終段のトランジスタのコレクタに導通する。これにより、駆動電源から供給される直流の駆動電流が１次側コイルを介して、前段の回路（例えば、前記発振回路）のトランジスタのコレクタに入力される。
【００１２】
また、この発明の平衡型クロック信号出力回路は、２次側コイルにベースが接続される第１出力側トランジスタ、および、第２出力側トランジスタと、第１出力側トランジスタのベース、および、第２出力側トランジスタのベースにトランス型バランを介して接続する駆動用電源とを備えたことを特徴としている。
【００１３】
この構成では、２次側コイルから出力される非反転出力信号と反転出力信号とがそれぞれ第１出力側トランジスタおよび第２出力側トランジスタのベースに入力され、増幅されて出力される。この際、第１、第２出力側トランジスタのベースには、２次側コイルを介して駆動電源から直流のバイアス電流が入力されて、第１、第２出力側トランジスタが駆動する。
【００１４】
また、この発明の平衡型クロック信号出力回路は、２次側コイルの反転出力部と非反転出力部との間の途中点に接続し、平衡型クロック信号出力回路の出力信号のハイレベル電圧とローレベル電圧との中間電圧の直流信号を途中点に供給する直流バイアス供給手段を備えたことを特徴としている。
【００１５】
この構成では、２次側コイルに直流電圧が供給されていることで、反転出力部と非反転出力部とからは、１次側コイルに入力された信号に応じて、且つ、２次側コイルに供給される直流の中間電圧の電圧値に応じた平衡型クロック信号が出力される。
【００１６】
また、この発明の平衡型クロック信号出力回路は、トランス型バランを、コア材と、該コア材に平行または撚り線状に巻き付けられた第１、第２、第３の巻線とから構成されるトリファイラー巻トランスとし、第１の巻線で１次側コイルを形成し、第２の巻線および第３の巻線で２次側コイルを形成したことを特徴としている。
【００１７】
この構成では、トランス型バランをトリファイラー巻トランスで構成することでトランス型バランが小型化される。
【００１８】
また、この発明の平衡型クロック信号出力回路は、トランス型バランを、２組の互いに結合するストリップ線路で構成されたストリップ線路型バランとすることを特徴としている。
【００１９】
この構成では、トランス型バランを、ストリップ線路型バラン、例えば、ブロードサイド結合用ラインを用いたバランで形成することで、トランス型バランの回路形成面積が小さくなり、小型化される。
【００２０】
また、この発明の平衡型クロック信号出力回路は、１次側コイルと２次側コイルとの巻き数比により、１次側の入力インピーダンスと２次側の出力インピーダンスとを調整することを特徴としている。
【００２１】
この構成では、１次側の入力インピーダンスと、２次側の出力インピーダンスとが調整されるので、１次側コイルおよび２次側コイルに接続される回路に応じて、適当なインピーダンスが得られる。
【００２２】
また、この発明の高周波発振器は、前述の平衡型クロック信号出力回路と、所定周波数で発振し、発振信号を平衡型クロック信号出力回路の不平衡側入力部に入力する発振手段と、を備えたことを特徴としている。
【００２３】
この構成では、発振手段で生成された不平衡型クロック信号が平衡型クロック信号出力回路で平衡型クロック信号に変換されて出力される。すなわち、平衡型クロック信号を出力する高周波発振器が形成される。
【発明の効果】
【００２４】
この発明によれば、不平衡型クロック信号の平衡型クロック信号への変換にトランス型バランを用いることで、構造が簡素で小型の平衡型クロック信号出力回路を構成することができる。
【００２５】
また、この発明によれば、トランス型バランの１次側コイルおよび２次側コイルがそれぞれに接続されるトランジスタの駆動電源信号の供給回路を兼用するので、これらを含む回路を小型化することができる。すなわち、１次側コイルにコレクタが接続されるトランジスタを備える発振回路や、２次側コイルに接続される反転信号、非反転信号増幅用トランジスタ含む平衡型クロック信号出力回路からなる平衡型の高周波信号発振器を簡素な構造で小型に構成することができる。
【００２６】
また、この発明によれば、２次側コイルに直流電圧が供給されていることで、２次側コイルから直接平衡型クロック信号が出力される。これにより、トランス型バランの後段にトランジスタを備える必要が無く、平衡型クロック信号出力回路をより簡素な構造で小型に構成することができる。
【００２７】
また、この発明によれば、トランス型バランをトリファイラー巻トランスや、ストリップ線路型バランで構成することで小型化できる。これにより、平衡型クロック信号出力回路をより小型に構成することができる。
【００２８】
また、この発明によれば、トランス型バランでインピーダンス整合を行うことができるため、別途インピーダンス整合回路を設ける必要がなくなる。これにより、前後の回路でインピーダンスが異なる場合でも、平衡型クロック信号出力回路を簡素な構造で小型に構成することができる。
【００２９】
また、この発明によれば、前述の平衡型クロック信号出力回路を備えることにより、安定して平衡型クロック信号を出力する高周波発振器を小型に構成することができる。
【発明を実施するための最良の形態】
【００３０】
本発明の第１の実施形態に係る平衡型クロック信号出力回路について図１を参照して説明する。  図１は、本実施形態の平衡型クロック信号出力回路の回路図である。
【００３１】
図１に示すように、平衡型信号出力回路１０は一次側コイルＬ1 と２次側コイルＬ2 とを備えるトランス型バラン１と、該トランス型バラン１の２次側コイルＬ2 の一方端にベースが接続するＮＰＮ型トランジスタ（以下、単にトランジスタと称す。）ＱN と２次側コイルＬ2 の他方端にベースが接続するＮＰＮ型トランジスタ（以下、単にトランジスタと称す。）ＱR と、トランス型バラン１の一次側コイルＬ1 に導通する不平衡信号入力部２と、トランジスタＱN ，ＱR のエミッタに導通する平衡信号出力部３とを備える。ここで、トランジスタＱN ，ＱR が本発明の「第１出力側トランジスタ」および「第２出力側トランジスタ」に相当する。
【００３２】
トランス型バラン１の１次側コイルＬ1 の一方端は不平衡信号入力部２を介して前段の発振回路における増幅部のトランジスタＱ0 のコレクタに接続し、他方端は駆動電圧供給端子Ｖccに接続している。２次側コイルＬ2 は、第１コイル部Ｌ21と第２コイル部Ｌ22とが直列接続された構造からなる。また、１次側コイルＬ1 と２次側コイルＬ2 とは所定の巻数比で構成されており、２次側コイルＬ2 の第１コイル部Ｌ21と第２コイル部Ｌ22とは同じ巻数で構成されている。ここで、一次側コイルＬ1 の一方端が本発明の「不平衡側入力部」に相当する。
【００３３】
２次側コイルＬ2 の第１コイル部Ｌ21は、１次側コイルＬ1 により誘導される信号が１次側コイルＬ1 に入力された信号と同相となるように、１次側コイルＬ1 に対して配置されている。また、第２コイル部Ｌ22は、１次側コイルＬ1 により誘導される信号が１次側コイルＬ1 に入力された信号と逆相となる、すなわち、１８０°の位相差を有するように、１次側コイルＬ1 に対して配置されている。
【００３４】
第１コイル部Ｌ21と第２コイル部Ｌ22との接続点は抵抗素子Ｒ1 を介して駆動電圧供給端子Ｖccに接続している。また、第１コイル部Ｌ21と第２コイル部Ｌ22との接続点は、コンデンサＣ1 を介して高周波的に接地している。
【００３５】
第１コイル部Ｌ21の前記接続点に対向する端部はトランジスタＱN のベースに接続しており、第２コイル部Ｌ22の前記接続点に対向する端部はトランジスタＱR のベースに接続している。ここで、第１コイル部Ｌ21の前記接続点に対向する端部が「非反転出力部」に相当し、第２コイル部Ｌ22の前記接続点に対向する端部が「反転出力部」に相当する。
【００３６】
トランジスタＱN のコレクタは駆動電圧供給端子Ｖccに接続するとともにコンデンサＣ2 で接地し、エミッタは平衡信号出力部３の信号出力端子ＯＵＴN に接続している。また、トランジスタＱR のコレクタは駆動電圧供給端子Ｖccに接続とともにコンデンサＣ2 で接地し、エミッタは平衡信号出力部３の信号出力端子ＯＵＴR に接続している。これにより、トランジスタＱn ，ＱR はそれぞれコレクタ接地型の増幅回路として機能する。すなわち、ベースから入力される信号を所定の増幅率で増幅して、エミッタから入力信号と同相の出力信号を得る増幅回路として機能する。
【００３７】
駆動電圧供給端子ＶccはコンデンサＣ2 を介して接地している。
【００３８】
このような平衡型信号出力回路１０では、不平衡信号入力部２に不平衡型クロック信号が入力されると、この不平衡型クロック信号はトランス型バラン１の１次側コイルＬ1 に伝送される。この際、不平衡信号入力部２に接続するトランジスタＱ0 のコレクタには、トランス型バラン１の１次側コイルＬ1 を介して駆動電圧供給端子Ｖccからの駆動電圧が印加され、前段回路のトランジスタＱ0 はこの駆動電圧により駆動し、不平衡信号入力部２に不平衡型信号を出力する。
【００３９】
トランス型バラン１では、１次側コイルＬ1 に不平衡型クロック信号が入力されると、２次側コイルＬ2 の第１コイル部Ｌ21と第２コイル部Ｌ22とに、１次側コイルＬ1 との電磁界結合による前記不平衡クロック型信号に応じた信号が誘導される。この際、第１コイル部Ｌ21から出力される信号は、１次側コイルＬ1 に入力された不平衡型クロック信号と同相の非反転信号であり、第２コイル部Ｌ22から出力される信号は、１次側コイルＬ1 に入力された不平衡型クロック信号と逆相、すなわち、１８０°の位相差を有する反転信号である。これにより、２次側コイルＬ2 の両端からは、互いに１８０°の位相差を有する非反転信号と反転信号との２つの信号が出力される。ここで、第１コイル部Ｌ21と第２コイル部Ｌ22との巻数が同じであるので、非反転信号と反転信号とは振幅が同じである、また、非反転信号と反転信号との振幅は、１次側コイルＬ1 と第１コイル部Ｌ21または第２コイル部Ｌ22と巻数比、および、１次側コイルＬ1 に入力された不平衡型クロック信号の振幅とにより決定される。
【００４０】
２次側コイルＬ2 の第１コイル部Ｌ21から出力された非反転信号はトランジスタＱN のベースに入力される。
【００４１】
トランジスタＱN は、駆動電圧供給端子Ｖccから抵抗Ｒ1 と第１コイル部Ｌ21とを介してベースに入力される所定のベース電流と、駆動電圧供給端子Ｖccからコレクタに印加される駆動電圧とにより駆動し、ベースに入力された非反転信号を増幅して、平衡信号出力部３の信号出力端子ＯＵＴN に出力する。
また、トランジスタＱR は、駆動電圧供給端子Ｖccから抵抗Ｒ1 と第２コイル部Ｌ22を介してベースに入力される所定のベース電流と、駆動電圧供給端子Ｖccからコレクタに印加される駆動電圧とにより駆動し、ベースに入力された反転信号を増幅して、平衡信号出力部３の信号出力端子ＯＵＴR に出力する。これにより、平衡信号出力部３には、互いに１８０°の位相差を有する所定振幅の非反転信号と反転信号とが入力される。そして、これら非反転信号と反転信号とにより平衡型クロック信号が形成されて、平衡信号出力部３から後段の回路に出力される。
【００４２】
このように、トランス型バランを用いることで、１次側に入力された不平衡型クロック信号に基づいて、位相差の精度が高い平衡型クロック信号を２次側で出力することができるので、不平衡型クロック信号を変換して高精度の平衡型クロック信号を出力する平衡型クロック信号出力回路を簡素な構造で実現することができる。
【００４３】
また、トランジスタＱN ，ＱR のベースにはトランス型バラン１の２次側コイルＬ2 を介してバイアス電流を供給することができるので、トランジスタＱN ，ＱR 毎にベース電流供給回路を設ける必要が無く、より簡素な構造で、平衡型クロック信号出力回路を構成することができる。
【００４４】
また、さらに、前段の発振回路における出力段のトランジスタＱ0 に、トランス型バラン１の１次側コイルＬ1 を介して駆動電圧を供給することで、このトランジスタＱ0 用に駆動電圧供給回路を設ける必要が無く、この平衡型クロック信号出力回路を備えた高周波発振器を簡素に構成することができる。
【００４５】
なお、前述の説明では、トランス型バランの１次側コイルおよび２次側コイルをそれぞれに接続するトランジスタへのベース電流供給回路や駆動電圧供給回路に利用していたが、図２に示すような回路を用いてもよい。
【００４６】
図２は本実施形態の他の構成の平衡型クロック信号出力回路の回路図である。
【００４７】
図２に示す平衡型クロック信号出力回路１１は、トランス型バラン１の１次側コイルＬ1 の一方端がコンデンサＣ11を介して不平衡信号入力部２に接続し、他方端が接地し、トランス型バラン１の２次側コイルＬ2 の第１コイル部Ｌ21と第２コイル部Ｌ22との接続点が接地したものである。また、トランジスタＱN のベースはコンデンサＣ21を介して２次側コイルＬ2 の第１コイルＬ21に接続するとともに、抵抗Ｒ1 を介して、駆動電圧信号供給端子Ｖccが接続する。さらに、トランジスタＱR のベースは、コンデンサＣ22を介して第２コイルＬ22に接続するとともに、抵抗Ｒ2 を介して駆動電圧信号供給端子Ｖccに接続するものである。また、前段の発振回路の出力段のトランジスタＱ0 のコレクタは抵抗Ｒ10を介して駆動電圧供給端子Ｖccからに接続している。そして、他の構成は第１の実施形態に示した平衡型クロック信号出力回路と同じである。
【００４８】
この構成を用いることで、トランス型バラン１の１次側コイルＬ1 、および、２次側コイルＬ2 に直流電流が印加されない平衡型クロック信号出力回路を実現することができる。このような回路構成とすることで、より安定して平衡型クロック信号を出力する平衡型クロック信号出力回路を比較的簡素な回路構成で実現することができる。
【００４９】
次に、第２の実施形態に係る平衡型クロック信号出力回路について図３を参照して説明する。
図３は本実施形態の平衡型クロック信号出力回路の回路図である。
【００５０】
図３に示す平衡型クロック信号出力回路１２は、トランス型バラン１の２次側コイルＬ２の第１コイル部Ｌ21と第２コイル部Ｌ22とが、平衡型信号出力部３の信号出力端子ＯＵＴN およびＯＵＴR に直接接続されたものである。また、第１コイル部Ｌ21と第２コイル部Ｌ22との接続点が抵抗Ｒ2 を介して接地電位に接続されたものである。ここで、駆動電圧供給端子Ｖccと、抵抗Ｒ1 ，Ｒ2 が本発明の「直流バイアス供給回路」に相当する。そして、他の構成は第１の実施形態に示した平衡型クロック信号出力回路１０と同じである。
【００５１】
このような構成の平衡型クロック信号出力回路１２では、第１コイル部Ｌ21と、第２コイル部Ｌ22との接続点に駆動電圧信号供給端子Ｖccから入力される直流電圧を抵抗Ｒ1 、Ｒ2 により分圧した電圧Ｖ1 が印加される。ここで、駆動電圧信号供給端子Ｖccから入力される電圧値および抵抗Ｒ1 ，Ｒ2 の抵抗値は、分圧された電圧Ｖ1 が平衡型クロック信号出力回路１２の出力信号のハイレベル電圧とローレベル電圧との中間電圧値となるように設定されている。また、トランス型バラン１の１次側コイルＬ1 に入力される不平衡型クロック信号は、平衡型クロック信号により所定の論理レベルが得られる振幅に設定されている。
【００５２】
図４は、トランス型バラン１の１次側コイルＬ1 の一方端に入力される信号と、２次側コイルＬ2 の両端から出力される信号とを示す図であり、（ａ）は１次側コイルＬ1 に入力される信号を示し、（ｂ）は２次側コイルＬ2 の第１コイル部Ｌ21から出力される信号を示し、（ｃ）は２次側コイルＬ2 の第２コイル部Ｌ22から出力される信号を示す。
【００５３】
図４（ａ）に示すような不平衡型クロック信号が１次側コイルＬ1 に入力されると、１次側コイルＬ1 と２次側コイルＬ2 の第１コイル部Ｌ21および第２コイル部Ｌ22との電磁界結合により、第１コイル部Ｌ21から図４（ｂ）に示すような非反転信号が出力され、第２コイル部Ｌ22から図４（ｃ）に示すような反転信号が出力される。すなわち、前記分圧により得られる電圧値Ｖ1 を基準として振動し、１次側コイルＬ1 に入力された信号と同相の信号が２次側コイルＬ2 の第１コイル部Ｌ21から出力される。これと同時に、前記分圧により得られる電圧値Ｖ1 を基準として振動し、１次側コイルＬ1 に入力された信号と逆相（位相差が１８０°）の信号が２次側コイルＬ2 の第２コイル部Ｌ22から出力される。
【００５４】
そして、２次側コイルＬ2 の第１コイル部Ｌ21から出力される非反転信号と、第２コイル部Ｌ22から出力される反転信号とが同期して平衡型信号出力部３に入力されることにより、所定の平衡型クロック信号が平衡型信号出力部３から出力される。
【００５５】
このような構成とすることで、２次側コイルＬ2 の第１コイル部Ｌ21と第２コイル部Ｌ22とから直接平衡型クロック信号が出力されるので、より一層簡素な構造で平衡型クロック信号出力回路を構成することができる。
【００５６】
なお、本実施形態では、第１コイル部Ｌ21と第２コイル部Ｌ22との接続点を抵抗Ｒ2 により接地に導通したが、ダイオードを利用してもよい。
【００５７】
また、前述の各実施形態では、トランス型バランを１次側コイルと２つの部分からなる２次側コイルとを電磁界結合するように実装基板に配置（形成）したものであるが、他の構造を用いてもよい。
例えば、３本の平行導体または３本の撚り導体をトロイダル形状のコア材に巻き付け、１本を１次側コイルに、２本を２次側コイルに相当させることによりなるトリファイラー巻きトランスでトランス型バランを構成してもよい。これにより、トランス型バランの外形形状がより小さくなり、平衡型クロック信号出力回路をより小型に形成することができる。
また、図５に示すようなブロードサイド結合型トランスを用いて平衡型クロック信号出力回路を形成してもよい。図５（ａ）はブロードサイド結合型トランスを用いて平衡型クロック信号出力回路の概略構成を示す構成図であり、図５（ｂ）は図５（ａ）に示す平衡型クロック信号出力回路のストリップ状電極パターンの部分を示す概念図である。
図５に示すように、所定の誘電体材料からなる実装基板５０の裏面５０ｂには所定のインダクタンスを有するストリップ状の第１の電極パターン５１が形成され、表面５０ａには第１の電極パターン５１に対向し、所定の電磁界結合を得られる所定のインダクタンスを有するストリップ状の第２の電極パターン５２が形成されている。
【００５８】
具体的には、第１の電極パターン５１は長手方向の長さが伝送するクロック信号の波長λの１／２の長さであり、この長手方向の一方端に不平衡信号入力端子ＰUBが接続している。また、第２の電極パターン５２は長手方向の長さが前記波長λの１／４の長さである２つの電極パターンからなる。これら２つの第２の電極パターン５２は、それぞれの長手方向が第１の電極パターン５１の長手方向に平行になるように、該長手方向に沿って配列形成されている。そして、２つの第２の電極パターン５２はそれぞれ向かい合う側の長手方向の端部が平衡信号出力端子ＰB を構成する２つの端子（反転出力端子と非反転出力端子）に接続し、他方の端部がそれぞれ接地している。このような構成では、第１の電極パターン５１と２つの第２の電極パターン５２とが基板５０を介してそれぞれの主面同士で対向するので、第１の電極パターン５１に信号が伝送されると、この信号により第１の電極パターン５１と第２の電極パターン５２とが電磁界結合して、２つの第２の電極パターン５２のそれぞれに信号が伝送される。この際、第１の電極パターン５１の長さがλ／２であり、第２の電極パターン５２の長さがそれぞれλ／４で接地方向が長手方向に対して反対であるので、第１の電極パターン５１に不平衡型信号入力端子ＰUBから入力された不平衡型クロック信号により、２つの第２の電極パターン５２にこの信号と同相の非反転信号と逆相の反転信号とが誘導される。そして、これら非反転信号と反転信号とが平衡型信号出力端子ＰB から出力されることで、平衡型クロック信号が出力される。すなわち、実装基板５０を挟み第１の電極パターン５１と第２の電極パターン５２とが対向して形成されることで、ストリップ線路型でブロードサイド結合型のトランス型バランが構成され、このブロードサイド結合型のトランス型バランにより不平衡型クロック信号が平衡型クロック信号に変換されて出力される。
【００５９】
また、実装基板５０の表面５０ａには、複数の表面実装素子５３ａ〜５３ｅが実装されており、これらが前述の回路図に示すトランジスタや抵抗やコンデンサに相当する。
【００６０】
このような構成とすることで、第１の電極パターン５１が前述の回路図に示す１次側コイルＬ１に相当し、第２の電極パターン５２が２次側コイルＬ２に相当して、前記各表面実装素子５３ａ〜５３ｅと実装基板５０に形成された配線電極パターン（図示せず）により回路化されることで、前述の各回路図に示す平衡型クロック信号出力回路を形成することができる。これにより、平衡型クロック信号出力回路の部品実装点数が減少して低コスト化および低消費電力化が可能となるとともに、平衡型クロック信号出力回路の回路専有面積が減少するため、小型化が可能となる。なお、前記説明では、ブロードサイド結合型のトランス型バランを用いて説明したが、互いに電磁界結合するように配置された２つのストリップ線路からなるストリップ線路型のバランを用いてもよい。例えば、誘電体基板の一方面に平行に形成された２つのストリップ線路からなり、これら２つのストリップ線路をそれぞれの対向する側のエッジで結合させるエッジサイド結合型のバランを用いてもよい。
【００６１】
また、前述の実施形態における１次側コイルと２次側コイルとの巻数比を調整することで、１次側コイルの入力インピーダンスと２次側コイルの出力インピーダンスとを異ならせることができる。例えば、１次側コイルと２次側コイルとの巻数比を１：２とすることで、インピーダンス比を１：４とすることができる。このため、平衡型クロック信号出力回路の前後に接続される回路のインピーダンスが異なっても、平衡型クロック信号出力回路のトランス型バランでインピーダンス変換を行うことができるので、新たなインピーダンス変換回路を形成する必要がない。これにより、インピーダンス変換機能を有する平衡型クロック信号出力回路を簡素な構造で小型に構成することができる。
【００６２】
次に、第３の実施形態に係る平衡型クロック信号発信用高周波発振器について図６を参照して説明する。
図６は本実施形態の平衡型クロック信号発信用高周波発振器の構成を示すブロック図である。
図６に示すように、平衡型クロック信号発信用高周波発振器は、所定周波数の不平衡型クロック信号を発生して出力する発振回路１０１と、該発振回路１０１から出力された不平衡型クロック信号から平衡型クロック信号を生成して出力する平衡型信号出力回路１０２とを備える。発振回路１０１は、共振素子を備え、所定の共振周波数で共振する共振回路１１１と、共振回路１１１の共振周波数の信号を増幅して所定の周波数信号を出力する、図１〜図３に示したトランジスタＱ0 、抵抗Ｒ0 、コンデンサＣ0 を含む増幅回路１１２とから構成される。また、平衡型クロック信号出力回路１０２には、前述の図１〜図３に示した平衡型クロック信号出力回路１０〜１２のいずれかを用いる。
【００６３】
このように前述の平衡型クロック信号出力回路を用いることで、安定して、平衡型クロック信号を出力する高周波発振器を構成することができる。また、さらに、この高周波クロック発振器を簡素な構造で構成することができる。
【図面の簡単な説明】
【００６４】
【図１】第１の実施形態の平衡型クロック信号出力回路の回路図
【図２】第１の実施形態の他の平衡型クロック信号出力回路の回路図
【図３】第２の実施形態の平衡型クロック信号出力回路の回路図
【図４】トランス型バラン１の１次側コイルＬ1 の一方端に入力される信号と、２次側コイルＬ2 の両端から出力される信号とを示す図
【図５】ブロードサイド結合型トランス型バランを用いた平衡型クロック信号出力回路の概略構成図および該平衡型クロック信号出力回路のストリップ状電極パターンの部分を示す概念図
【図６】第３の実施形態の平衡型クロック信号発信用高周波発振器の構成を示すブロック図
【符号の説明】
【００６５】
１−トランス型バラン
２−不平衡型信号入力部
３−平衡型信号出力部
１０〜１２，１０２−平衡型クロック信号出力回路
５０−実装基板
５０ａ−実装基板５０の表面
５０ｂ−実装基板５０の裏面
５１−第１の電極パターン
５２−第２の電極パターン
５３ａ〜５３ｅ−表面実装素子
１０１−発振回路
１１１−共振回路
１１２−増幅回路
【図１】
2005348054.tif 000003
【図２】
2005348054.tif 000004
【図３】
2005348054.tif 000005
【図４】
2005348054.tif 000006
【図５】
2005348054.tif 000007
【図６】
2005348054.tif 000008